(57)【特許請求の範囲】
【請求項１】
プリントする画像データのファイル名およびプリントに関するコマンドを含むプリントコマンドファイルに従ってプリントを行う画像プリント装置であって、
プリントコマンドファイルにプリントする画像データのファイル名を記述するファイル名記述手段と、
プリントコマンドファイルの内容を表示する表示手段と、
プリントコマンドファイルに従ってプリントを行うプリント手段と、
プリントコマンド  ファイルにプリント履歴を記述する履歴記述手段と、
を備えたことを特徴とする画像プリント装置。
【請求項２】
プリントする対象となるファイルは、画像データファイルか他のプリントコマンドファイルである、
ことを特徴とする請求項１記載の画像プリント装置。
【請求項３】
前記履歴記述手段が記述するプリント履歴は、プリント実行日時である、
ことを特徴とする請求項１記載の画像プリント装置。
【請求項４】
前記ファイル名記述手段は、前記履歴記述手段によって記述されたプリント日時より新しい撮影日時または保存日時を有する画像データ、もしくは、プリントコマンドファイルに存在しないファイル名の画像データについて、ファイル名を追記する、
ことを特徴とする請求項１記載の画像プリント装置。
【請求項５】
前記表示手段は、プリントコマンドファイルに含まれるプリントに関するコマンドおよびプリント履歴を白色もしくは表示の際の背景色で表示する、
ことを特徴とする請求項１記載の画像プリント装置。
【発明の詳細な説明】
【０００１】
【発明の属する技術分野】
本発明は画像プリント装置に関し、特に、複数の画像のプリント注文をする際に操作性の良い画像プリント装置に関する。
【０００２】
【従来の技術】
一般の画像プリント装置では、記憶手段のディレクトリまたはフォルダと呼ばれる格納場所（以下、フォルダと呼ぶことにする）ごとに関連する複数の画像をファイリングするようになっている。たとえば、１本のフィルムや１枚のデータカードで撮影した画像を、１つのフォルダにまとめるようにしている。
【０００３】
そして、インデックスプリントと呼ばれる複数の縮小画像を一覧状態にしたものをプリントするには、その時点で同一のフォルダ内に含まれる画像データのファイル名を全部抽出し、その抽出されたファイル名の全画像データについてプリyントを行うようにしている。
【０００４】
なお、このようにして複数の画像を扱うには、プリントする画像データのファイル名およびプリントに関するコマンドを含むプリントコマンドファイルに従って処理を行うことが行われる。このプリントコマンドファイルには、プリントすべき画像データのファイル名のほかに、プリント枚数やプリントサイズといったプリント指定の内容が記述されている。
【０００５】
なお、このプリントコマンドファイルがＨＴＭＬ（Hyper Text Markup Language）などの言語に基づいて作成されていれば、ＨＴＭＬに対応した表示手段を用いることで、プリントコマンドファイルの内容を視覚的に確認することが可能になる。
【０００６】
【発明が解決しようとする課題】
インデックス画像をプリントし、その後にいくつかの画像が同一フォルダ内に追加され、プリントコマンドファイルにも追記された場合、再度インデックス画像をプリントすると、全てのインデックス画像がプリントされる。すなわち、追加された画像のみのインデックス画像をプリントすることはできなかった。
【０００７】
また、プリントコマンドファイルにおいてはプリントに関する履歴については配慮されておらず、既にプリントしたものであるか否かについて、確認することができなかった。
【０００８】
また、ブラウザなどの表示手段を用いてプリントコマンドファイルの内容を表示している場合に、その表示画面をプリントすると、そこに含まれるコマンド自体もプリントされてしまうことがあった。
【０００９】
本発明は上記技術的課題に鑑みてなされたものであって、その目的は、以前のプリント状況に応じたプリントをすることが可能な画像プリント装置を提供することにある。
【００１０】
また、追記された画像についてのインデックス画像をプリントすることが可能な画像プリント装置を提供することを目的とする。
また、プリントコマンドファイルについてのプリント履歴を管理することが可能な画像プリント装置を提供することを目的とする。
【００１１】
さらに、ブラウザなどの表示手段を用いてプリントコマンドファイルの内容を表示中に、その表示画面をプリントしても必要な画像のみをプリントすることが可能な画像プリント装置を提供することを目的とする。
【００１３】
【課題を解決するための手段】
すなわち、上記課題を解決する本願発明は以下に述べるようなものである。
（１）請求項１記載の発明は、プリントする画像データのファイル名およびプリントに関するコマンドを含むプリントコマンドファイルに従ってプリントを行う画像プリント装置であって、プリントコマンドファイルにプリントする画像データのファイル名を記述するファイル名記述手段と、プリントコマンドファイルの内容を表示する表示手段と、プリントコマンドファイルに従ってプリントを行うプリント手段と、プリントコマンドファイルにプリント履歴を記述する履歴記述手段と、を備えたことを特徴とする画像プリント装置である。
【００１４】
この発明では、プリントコマンドファイル内にプリント履歴を持つようにしているため、以前のプリント状況に応じたプリントをすることができ、また、プリントを実行する前に表示手段によりプリントコマンドファイルの内容を確認することができる。
【００１５】
（２）請求項２記載の発明は、プリントする対象となるファイルは、画像データファイルか他のプリントコマンドファイルである、ことを特徴とする請求項１記載の画像プリント装置である。
【００１６】
この発明によれば、単純な画像のプリントと複雑なプリントとの両方が可能になる。
（３）請求項３記載の発明は、前記履歴記述手段が記述するプリント履歴は、プリント実行日時である、ことを特徴とする請求項１記載の画像プリント装置である。
【００１７】
この発明によれば、以前のプリント状況が把握でき、プリントコマンドファイルについてのプリント履歴を管理することが可能になる。
（４）請求項４記載の発明は、前記ファイル名記述手段は、前記履歴記述手段によって記述されたプリント日時より新しい撮影日時または保存日時を有する画像データ、もしくは、プリントコマンドファイルに存在しないファイル名の画像データについて、ファイル名を追記する、ことを特徴とする請求項１記載の画像プリント装置である。
【００１８】
この発明によれば、追記された画像についてのインデックス画像、追記された画像の１枚プリントを正確にプリントすることが可能になる。
（５）請求項５記載の発明は、前記表示手段は、プリントコマンドファイルに含まれるプリントに関するコマンドおよびプリント履歴を白色もしくは表示の際の背景色で表示する、ことを特徴とする請求項１記載の画像プリント装置である。
【００１９】
この発明によれば、ブラウザなどの表示手段を用いてプリントコマンドファイルの内容を表示中に、その表示画面をプリントしても必要な画像のみをプリントすることが可能になる。このため、コマンドやプリント履歴などをプリントしなくなる。
【００２０】
（６）なお、プリントする画像データのファイル名およびプリントに関するコマンドを含むプリントコマンドファイルを作成する画像プリント注文方法であって、すでに作成されているプリントコマンドファイルの内容と、フォルダ内の画像の一覧と、今回作成するプリントコマンドファイルの内容とを一画面に表示してプリントコマンドファイルを作成する、ことが望ましい。
【００２１】
この発明では、すでに作成されているプリントコマンドファイルの内容と、フォルダ内の画像の一覧と、今回作成するプリントコマンドファイルの内容とを一画面に表示しているので、画像とプリントコマンドファイルの新旧の違いを比較しつつ容易にプリントコマンドファイルの作成ができるようになる。
【００２２】
（７）また、プリントする画像データのファイル名およびプリントに関するコマンドを含むプリントコマンドファイルを作成する画像プリント注文方法であって、ネットワークにより接続された他のコンピュータに存在する画像データについてのプリントコマンドファイルを作成し、作成したプリントコマンドファイルをネットワークを介して他のコンピュータに送信する、ことが望ましい。
【００２３】
この発明では、他のコンピュータに存在する画像データについてのプリントコマンドファイルを作成し、作成したプリントコマンドファイルを電子メールなどでネットワークを介して他のコンピュータに送信することができ、注文が容易にできるようになる。
【００２４】
【発明の実施の形態】
以下に、本発明の実施の形態例を詳細に説明する。
＜画像プリント装置の構成＞
まず、図１を参照して本実施の形態例で使用する画像プリント装置の全体構成について説明する。
【００２５】
なお、この図１は本発明の実施の形態の画像プリント装置をのディジタルカメラに応用した場合の全体の電気的な概略構成を示す機能ブロック図である。
この図１において、１０はディジタルカメラであり、１１はディジタルカメラ１０の撮像部である。この撮像部１１は固体撮像素子で受光して得た画像をディジタルデータとしての画像データを生成するものである。１２はディジタルカメラ１０の主要部であると共に、本実施の形態例の画像プリント装置を構成している。１３は制御部であり、プリントコマンドファイルの記述やプリントコマンドファイルに基づいた表示やプリントの制御を行うものである。１４は画像データがフォルダ内に格納されるメモリであり、本実施の形態例においてはプリントコマンドファイルもフォルダ内に格納される。１６は表示部であり、制御部１２で生成されたプリントコマンドファイルの表示用信号の表示を行うものである。１５は操作部であり、撮影やプリントに関する各種操作の入力がなされる。２０は画像をプリント可能なプリンタであり、プリントする必要に応じてディジタルカメラ１０または画像プリント装置１２に接続されるものである。
【００２６】
＜画像プリント装置の動作＞
ここで、図２のフローチャートを参照して、本発明の実施の形態例の動作説明を行う。なお、ここでは、ディジタルカメラ１０で撮影した画像をプリンタ２０でプリントするシステムについて説明する。ディジタルカメラ１０で撮影が実行されると、撮像部１１で得た画像データは制御部１０の制御に基づいてメモリ１４に保存される。なお、このメモリ１４は、取り外し可能な各種カード型のメモリを含む。
【００２７】
そして、ディジタルカメラ１０の操作部１５からプリント設定モードのモード指定がなされる（図２Ｓ１）と、ディジタルカメラ１０はプリント設定モードとしての動作を開始する。なお、この場合のモード指定では、インデックスプリントをプリントするフォルダ（ディレクトリ）の指定もなされるものとする。
【００２８】
ここで、制御部１３はメモリ１４の対象フォルダ内にプリントコマンドファイルが存在するかを調べる（図２Ｓ２）。このプリントコマンドファイルとは、たとえば、図３に示すような内容が記述されているファイルであり、プリントすべき画像データのファイル名のほかに、プリント枚数やプリントサイズといったプリント指定のコマンドを含んでおり、同一フォルダ内の複数の画像を一括して扱うためのファイルである。
【００２９】
なお、このプリントコマンドファイルがＨＴＭＬ（Hyper Text Markup Language）などの言語に基づいて作成されていれば、ＨＴＭＬに対応したブラウザで表示を行うことで、プリントコマンドファイルで扱われる内容を表示部１６にて画像表示することが可能になる。
【００３０】
指定されたフォルダ内にプリントコマンドファイルが存在している場合には、制御部１３は、フォルダ内の画像データの撮影日時または保存日時を調べ、その日時がプリントコマンドファイル内のプリント履歴（プリント実行日時）より新しい画像データを抽出し、該当する画像データのファイル名をプリントコマンドファイルに追記する（図２Ｓ３）。
【００３１】
また、指定されたフォルダ内にプリントコマンドファイルが存在していなければ、制御部１３はプリントコマンドファイルを作成する（図２Ｓ４）。この場合、制御部１３は指定されたフォルダ内の画像データをサーチし、その画像データのファイル名を記述したプリントコマンドファイルを作成して保存する。
【００３２】
ここで、表示部１６にはプリントコマンドファイルに従ってインデックスプリントのためにフォルダ内の複数の画像が一覧表示される。そして、ユーザは操作部１５より、インデックスプリントの全体一括プリントか、追記された画像データのプリントかを指示する（図２Ｓ５）。
【００３３】
そして、制御部１３は選択されたインデックスプリント全体または追記部分のいずれかの画像データをプリンタ２０に出力する。これにより、全体または追記部分のインデックスプリントが形成される（図２Ｓ６）。そして、画像データの出力と並行して、制御部１３はプリントコマンドファイルにプリント日時をプリント履歴として記述する（図２Ｓ７）。
【００３４】
図３に示すプリントコマンドファイルは、フォルダ内にdsc00001.jpg〜dsc00015.jpgまでの１５個の画像データが存在しており、プリントする前の状態のプリントコマンドファイルである。
【００３５】
このプリントコマンドファイルが存在する状態でプリント設定モードに設定される（図２Ｓ１）と、 dsc00001.jpg〜dsc00015.jpgについてインデックスプリントがプリンタ２０に出力されて（図２Ｓ６）、プリント日時がプリントコマンドファイルの末尾に記述される（図２Ｓ７）。
【００３６】
また、このプリントコマンドファイルが存在しない状態でプリント設定モードに設定される（図２Ｓ１）と、 フォルダ内に存在するファイル（たとえば、dsc00001.jpg〜dsc00015.jpg）について記述されたプリントコマンドファイルに基づいて、インデックスプリントがプリンタ２０に出力されて（図２Ｓ６）、プリント日時がプリントコマンドファイルの末尾に記述される（図２Ｓ７）。
【００３７】
そして、この後、ディジタルカメラ１０で撮影が実行されて新たな画像データが生成された後に、再びプリント設定モードに設定（図２Ｓ１）されたとする。この場合には、プリントコマンドファイル内のプリント日時より新しい画像データについて、プリントコマンドファイル内に画像データのファイル名が追記される（図２Ｓ３）。この場合、記述されているプリント日時の後ろに、新しい画像データのファイル名が記述される。そして、ユーザより指定（図２Ｓ５）されたインデックスプリントの全体一括プリントか、追記された画像データのプリントかの画像データをプリンタ２０に出力する。これにより、全体または追記部分のインデックスプリントが形成される（図２Ｓ６）。そして、画像データの出力と並行して、制御部１３はプリントコマンドファイルにプリント日時をプリント履歴として記述する（図２Ｓ７）。
【００３８】
なお、以上の場合に、インデックスプリントすべき画像の一覧は、プリントコマンドファイルの記述により、表示部１６において確認することができる。すなわち、インデックスプリントと同様な状態で表示部１６に画像一覧表示を行うべく、制御部１３がプリントコマンドファイルに必要な記述をしておく。
【００３９】
そして、この場合のプリント履歴やコマンドの記述を白色の文字にしておき、ブラウザの背景地色を白色以外にしておくと、プリント履歴やコマンドを表示部１６上で画像と共に確認することができる。さらに、プリントコマンドファイルに対応していないプリンタを接続している場合には、ブラウザによるプリントコマンドファイルの画面表示をそのまま印刷することにより、一覧表示されている画像はプリントされるが、プリント履歴やコマンドの白色の文字部分は印刷されないため、必要な一覧画像だけを印刷したと同じ状態になる。すなわち、プリントコマンドファイルに対応していないプリンタであっても、余分なコマンドなどを除いた状態の画像のみをプリントすることができる。
【００４０】
以上のように、本実施の形態例では、プリントコマンドファイル内にプリント履歴を持つようにしているため、以前のプリント状況に応じたプリントをすることができ、また、プリントを実行する前に表示手段によりプリントコマンドファイルの内容を確認することができる。
【００４１】
ここで、図４および図５を参照して、本発明の他の実施の形態例について説明する。
まず、ディジタルカメラ１０において、操作部１５でのユーザの操作により、プリント設定モードで、１つの画像を複数枚プリントする設定がなされたとする。この設定は、請求項における他のプリントコマンドファイルに該当するプリントコマンドファイルＢとして、制御部１３によってメモリ１４内に保存される。このプリントコマンドファイルＢの内容としては、前述した実施の形態例と同様に、プリントすべき画像データのファイル名のほかに、プリント枚数やプリントサイズといったプリント指定のコマンドを含んでいる。
【００４２】
なお、この場合のプリントコマンドファイルＢのファイル名は、後述するＡＰＲＮＴ．ＨＴＭやＦＰＲＮＴ．ＨＴＭとなる。
ここで、プリント設定モードに設定された（図４Ｓ１）ディジタルカメラ１０の制御部１３は、メモリ１４の対象フォルダ内にプリントコマンドファイルＡ（ＩＮＤＥＸ．ＨＴＭ）が存在するかを調べる（図４Ｓ２）。
【００４３】
指定されたフォルダ内にプリントコマンドファイルＡ（ＩＮＤＥＸ．ＨＴＭ）が存在している場合には、制御部１３は、フォルダ内の画像データの撮影日時または保存日時を調べ、その日時がプリントコマンドファイル内のプリント履歴（プリント実行日時）より新しい画像データを抽出し、該当する画像データのファイル名をプリントコマンドファイルＡ（ＩＮＤＥＸ．ＨＴＭ）に追記する（図４Ｓ３）。
【００４４】
また、指定されたフォルダ内にプリントコマンドファイルＡ（ＩＮＤＥＸ．ＨＴＭ）が存在していなければ、制御部１３はプリントコマンドファイルＡ（ＩＮＤＥＸ．ＨＴＭ）を作成する（図４Ｓ４）。この場合、制御部１３は指定されたフォルダ内の画像データをサーチし、その画像データのファイル名を記述したプリントコマンドファイルを作成して保存する。
【００４５】
さらに、制御部１３は、メモリ１４の対象フォルダ内にプリントコマンドファイルＢが存在するかを調べる（図４Ｓ５）。そして、指定されたフォルダ内にプリントコマンドファイルＢが存在していなければ、制御部１３はプリントコマンドファイルＢを作成する（図４Ｓ６）。
【００４６】
そして、制御部１３は、プリントする他のプリントコマンドファイルとなるプリントコマンドファイルＢのファイル名を、プリントコマンドファイルＡ（ＩＮＤＥＸ．ＨＴＭ）の内部に記述する（図４Ｓ７）。
【００４７】
なお、図３および図５はプリントコマンドファイルＡ（ＩＮＤＥＸ．ＨＴＭ）の内容の一例を示した図であり、図３はプリントする前の状態を示しており、図５はプリントした後に画像１６，画像１８，画像１９が撮影されてプリント設定したあとの状態を示している。
【００４８】
また、図５のプリントコマンドファイルＡ内に記述されている他のプリントコマンドファイル（プリントコマンドファイルＢ）としてのＡＰＲＮＴ．ＨＴＭとＦＰＲＮＴ．ＨＴＭとは、図６と図７とに具体例を示すようになっている。
【００４９】
そして、プリントコマンドファイルＡ（ＩＮＤＥＸ．ＨＴＭ）を実行することにより、表示部１６にはプリントコマンドファイルＡ（ＩＮＤＥＸ．ＨＴＭ）に従ってインデックスプリントのためにフォルダ内の複数の画像が一覧表示され、プリンタ２０にはプリントコマンドファイルＡ（ＩＮＤＥＸ．ＨＴＭ）に記述された画像がプリントされる（図４Ｓ８）。また、プリントコマンドファイルＡ（ＩＮＤＥＸ．ＨＴＭ）内にプリントコマンドファイルＢが記述されているため、表示部１６にはプリントコマンドファイルＢに従ってインデックスプリントのためにフォルダ内の複数の画像が一覧表示され、プリンタ２０にはプリントコマンドファイルＢに記述された画像がプリントされる（図４Ｓ９）。
【００５０】
このように、プリントする対象となるファイルとして、画像データファイルか他のプリントコマンドファイルを対象とすることで、単純な画像のプリントと複雑なプリントとの両方が可能になる。
【００５１】
そして、プリントが完了すると、制御部１３はプリントコマンドファイルＡ（ＩＮＤＥＸ．ＨＴＭ）にプリント日時をプリント履歴として記述する（図４Ｓ１０）。この場合、プリントコマンドファイルＡ（ＩＮＤＥＸ．ＨＴＭ）内にプリントコマンドファイルＢが記述されているため、プリントコマンドファイルＡ（ＩＮＤＥＸ．ＨＴＭ）のみにプリント日時を記述することで、一括してプリント履歴が管理できるようになる。
【００５２】
なお、この実施の形態例の場合にも、この場合のプリント履歴やコマンドの記述を白色の文字にしておき、ブラウザの背景地色を白色以外にしておくと、プリント履歴やコマンドを表示部１６上で画像と共に確認することができる。さらに、プリントコマンドファイルに対応していないプリンタを接続している場合には、ブラウザによるプリントコマンドファイルの画面表示をそのまま印刷することにより、一覧表示されている画像はプリントされるが、プリント履歴やコマンドの白色の文字部分は印刷されないため、必要な一覧画像だけを印刷したと同じ状態になる。すなわち、プリントコマンドファイルに対応していないプリンタであっても、余分なコマンドなどを除いた状態の画像のみをプリントすることができる。
【００５３】
＜その他の実施の形態例＞
（１）なお、以上の各実施の形態例の説明では、ディジタルカメラ１０から画像の表示とプリントを行うものとしたが、これに限定されるものではない。すなわち、画像ファイリング装置や画像管理ソフトウェアなどでも同様な動作を行うことが可能である。
【００５４】
（２）また、以上の各説明において、画像データがＣＤ−ＲＯＭやＤＶＤ−ＲＯＭなどの書き換え不可能な媒体にある場合であっても、プリントコマンドファイルを書き換え可能な記録媒体（フロッピーディスクやハードディスクなど）で管理することが可能である。
【００５５】
（３）また、画像注文ソフトウェアなどにおいても、以上のそれぞれの場合と同様な動作を行うことが可能である。この場合には、画像データがサーバ側に存在していて、プリントコマンドファイルをユーザ側で作成して電子メールなどで送信する、といった利用方法が可能である。
【００５６】
（４）コンピュータでは表示面積の大きいディスプレイを使用することができるため、ＨＴＭＬの表示をフレームに分けることができる。たとえば、以前のプリントコマンドファイルを左側のフレームに表示し、画像の一覧を下側のフレームに表示し、右側のフレームで今回のプリントコマンドファイルの画像をドラッグアンドドロップで登録する、といった方法が可能である。このような操作を行えるプリントコマンドファイル作成ソフトを用いることで、プリントコマンドファイルの作成が容易になる。
【００５７】
（５）また、ネットワークに接続されたコンピュータを用いる場合には、修飾プリントやレイアウトのデータについて新しいものをサーバからダウンロードして利用するといったことも可能である。
【００５８】
【発明の効果】
以上説明したように、本発明によれば、プリントコマンドファイル内にプリント履歴を持つようにしているため、以前のプリント状況に応じたプリントをすることができ、また、プリントを実行する前に表示手段によりプリントコマンドファイルの内容を確認することができる。
【００５９】
また、プリントする対象となるファイルとして、画像データファイルか他のプリントコマンドファイルを対象とすることで、単純な画像のプリントと複雑なプリントとの両方が可能になる。
【００６０】
また、履歴記述手段が記述するプリント履歴をプリント実行日時をとすることによれば、以前のプリント状況が把握でき、プリントコマンドファイルについてのプリント履歴を管理することが可能になる。
【００６１】
また、履歴記述手段によって記述されたプリント日時より新しい撮影日時または保存日時を有する画像データ、もしくは、プリントコマンドファイルに存在しないファイル名の画像データについて、ファイル名を追記する、ことによれば、追記された画像についてのインデックス画像を正確にプリントすることが可能になる。
【００６２】
そして、プリントコマンドファイルに含まれるプリントに関するコマンドおよびプリント履歴を白色もしくは表示の際の背景色で表示する、ことによれば、ブラウザなどの表示手段を用いてプリントコマンドファイルの内容を表示中に、その表示画面をプリントしても必要な画像のみをプリントすることが可能で、コマンドやプリント履歴などをプリントしなくすることが可能になる。
【００６３】
また、すでに作成されているプリントコマンドファイルの内容と、フォルダ内の画像の一覧と、今回作成するプリントコマンドファイルの内容とを一画面に表示しているので、画像とプリントコマンドファイルの新旧の違いを比較しつつ容易にプリントコマンドファイルの作成ができるようになる。
【００６４】
そして、他のコンピュータに存在する画像データについてのプリントコマンドファイルを作成し、作成したプリントコマンドファイルを電子メールなどでネットワークを介して他のコンピュータに送信することができ、注文が容易にできるようになる。
【図面の簡単な説明】
【図１】本発明の実施の形態例の画像プリント装置の構成を示すブロック図である。
【図２】本発明の第１の実施の形態例の画像プリント方法の処理手順を示すフローチャートである。
【図３】本発明の第１の実施の形態例におけるプリントコマンドファイルの一例を示す説明図である。
【図４】本発明の第１の実施の形態例の画像プリント方法の処理手順を示すフローチャートである。
【図５】本発明の第１の実施の形態例におけるプリントコマンドファイルの一例を示す説明図である。
【図６】本発明の第１の実施の形態例におけるプリントコマンドファイルの一例を示す説明図である。
【図７】本発明の第１の実施の形態例におけるプリントコマンドファイルの一例を示す説明図である。
【符号の説明】
１０  ディジタルカメラ
１１  撮像部
１２  画像プリント装置
１３  制御部
１４  メモリ
１５  操作部
１６  表示部
２０  プリンタ
【図１】
0003740867.tif 000002
【図２】
0003740867.tif 000003
【図３】
0003740867.tif 000004
【図４】
0003740867.tif 000005
【図５】
0003740867.tif 000006
【図６】
0003740867.tif 000007
【図７】
0003740867.tif 000008